(57)【要約】【課題】表示装置に対してユーザーが行う操作の結果を記憶して活用する場合の利便性を向上させる。【解決手段】プロジェクター２は、スクリーンＳＣに画像を表示し、スクリーンＳＣへの指示体７０による操作を検出し、操作の検出を行った指示体７０、または、指示体７０の操作者を識別する識別情報を取得する。プロジェクター２は、指示体７０の操作に従って、指示体７０による操作に関する操作情報を識別情報に対応付けて記憶するサーバー１０から、識別情報に対応する操作情報を取得する。プロジェクター２は、取得した操作情報に基づき、検出された操作に応じた処理を行う。【選択図】図１
2016184268.tif 000002
【特許請求の範囲】
【請求項１】
表示面に画像を表示する表示部と、
前記表示面への指示体による操作を検出する検出部と、
前記検出部が検出を行った前記指示体、若しくは、前記指示体の操作者を識別する識別情報を取得する識別情報取得部と、
前記検出部により検出された操作に従って、前記指示体による操作に関する操作情報を前記識別情報に対応付けて記憶する記憶部から、前記識別情報取得部により取得された前記識別情報に対応する前記操作情報を取得する操作情報取得部と、
前記操作情報取得部により取得された前記操作情報に基づき、前記検出部により検出された操作に応じた処理を行う制御部と、
を備えることを特徴とする表示装置。
【請求項２】
予め設定される表示設定に従って、前記表示部により、前記指示体の操作を行うためのユーザーインターフェースを構成する表示を行う表示制御部を備え、
前記表示制御部は、前記操作情報取得部により取得された前記操作情報が、前記表示設定に係る情報を含む場合に、取得された前記操作情報に基づいて前記ユーザーインターフェースの表示態様を変更すること、
を特徴とする請求項１記載の表示装置。
【請求項３】
前記制御部は、前記操作情報取得部により取得された前記操作情報に基づく動作に関して、前記表示部により案内表示をさせること、
を特徴とする請求項１または２記載の表示装置。
【請求項４】
前記制御部は、前記表示部により前記案内表示を行い、前記検出部によって前記操作情報に基づく処理の実行の指示を検出した場合に、前記操作情報に基づく処理を実行すること、
を特徴とする請求項３記載の表示装置。
【請求項５】
前記検出部により前記指示体による操作を検出した場合に、前記検出部により検出された操作または検出された操作に対応する処理に関する操作情報、及び、前記識別情報取得部により取得された前記識別情報を、外部の記憶装置に送信する送信部を備えること、
を特徴とする請求項１から４のいずれかに記載の表示装置。
【請求項６】
第１の表示装置と、第２の表示装置と、前記第１及び第２の表示装置に接続可能な記憶装置と、を備え、
前記第１の表示装置は、
第１の表示面に画像を表示する第１の表示部と、
前記第１の表示面への第１の指示体による操作を検出する第１の検出部と、
前記第１の検出部が検出を行った前記第１の指示体、若しくは、前記第１の指示体の操作者を識別する第１の識別情報を取得する第１の識別情報取得部と、
前記第１の検出部により検出された操作、または検出された操作に対応する処理に関する第１の操作情報、及び、前記第１の識別情報を前記記憶装置に送信する第１の送信部と、を備え、
前記記憶装置は、前記第１の表示装置により送信される前記第１の操作情報と前記第１の識別情報とを対応付けて記憶し、
前記第２の表示装置は、
第２の表示面に画像を表示する第２の表示部と、
前記第２の表示面への第２の指示体による操作を検出する第２の検出部と、
前記第２の検出部が検出を行った前記第２の指示体、若しくは、前記第２の指示体の操作者を識別する第２の識別情報を取得する第２の識別情報取得部と、
前記第２の識別情報取得部により取得された前記第２の識別情報に対応する前記第１の操作情報を前記記憶装置から取得する第２の操作情報取得部と、
前記第２の操作情報取得部により取得された前記第１の操作情報に基づき、前記第２の検出部により検出された操作に応じた処理を行う第２の制御部と、を備えること、
を特徴とする表示システム。
【請求項７】
表示面に画像を表示し、
前記表示面への指示体による操作を検出し、
操作の検出を行った前記指示体、または、前記指示体の操作者を識別する識別情報を取得し、
前記指示体の操作に従って、前記指示体による操作に関する操作情報を前記識別情報に対応付けて記憶する記憶装置から、前記識別情報に対応する前記操作情報を取得し、
取得した前記操作情報に基づき、前記検出された操作に応じた処理を行うこと、
を特徴とする表示装置の制御方法。
【発明の詳細な説明】
【技術分野】
【０００１】
本発明は、表示装置、表示システム、及び、表示装置の制御方法に関する。
【背景技術】
【０００２】
従来、表示装置において、表示面に対する操作を受け付けるものが知られている。（例えば、特許文献１参照）。特許文献１記載のプロジェクターは、ユーザーが赤外線ペンで描画する画像等を表示し、描画された画像や表示する画像を、外部記憶装置に記憶する機能を有する。
【先行技術文献】
【特許文献】
【０００３】
【特許文献１】特開２０１３−２３５１４２号公報
【発明の概要】
【発明が解決しようとする課題】
【０００４】
特許文献１に記載のプロジェクターのように、ユーザーの操作の結果として画像を記憶した場合、記憶した画像を利用する場合の利便性が要求される。例えば、特許文献１記載のプロジェクターは、ユーザーの操作で描画した画像をキャプチャーし、外部記憶装置に記憶する。このようにして多数の画像が記憶された場合、所望の画像を探して選択する操作は煩雑性が高いことが考えられ、利便性の高い手法が望まれていた。
本発明は、上述した事情に鑑みてなされたものであり、表示装置に対してユーザーが行う操作の結果を記憶して活用する場合の利便性を向上させることを目的とする。
【課題を解決するための手段】
【０００５】
上記目的を達成するために、本発明の表示装置は、表示面に画像を表示する表示部と、前記表示面への指示体による操作を検出する検出部と、前記検出部が検出を行った前記指示体、若しくは、前記指示体の操作者を識別する識別情報を取得する識別情報取得部と、前記検出部により検出された操作に従って、前記指示体による操作に関する操作情報を前記識別情報に対応付けて記憶する記憶部から、前記識別情報取得部により取得された前記識別情報に対応する前記操作情報を取得する操作情報取得部と、前記操作情報取得部により取得された前記操作情報に基づき、前記検出部により検出された操作に応じた処理を行う制御部と、を備えることを特徴とする。
本発明によれば、指示体による操作を検出した場合に、検出した指示体に関する識別情報を取得でき、この識別情報を用いて操作に関する操作情報を取得し処理できる。このため、指示体または操作者を識別して、記憶された情報を取得できるので、複数の指示体あるいは複数の操作者が行った操作に関する情報を記憶する場合も、該当する情報を容易に探索して利用でき、利便性の向上を図ることができる。
【０００６】
また、本発明は、上記表示装置において、予め設定される表示設定に従って、前記表示部により、前記指示体の操作を行うためのユーザーインターフェースを構成する表示を行う表示制御部を備え、前記表示制御部は、前記操作情報取得部により取得された前記操作情報が、前記表示設定に係る情報を含む場合に、取得された前記操作情報に基づいて前記ユーザーインターフェースの表示態様を変更すること、を特徴とする。
本発明は、指示体または操作者に対応付けて記憶された表示設定を利用して、ユーザーインターフェースを表示できる。
【０００７】
また、本発明は、上記表示装置において、前記制御部は、前記操作情報取得部により取得された前記操作情報に基づく動作に関して、前記表示部により案内表示をさせること、を特徴とする。
本発明によれば、指示体または操作者に対応付けて記憶された操作情報を取得した場合に、案内表示を行うことで、操作者が操作情報を利用するか否かの選択等を実行でき、利便性の向上を図ることができる。
【０００８】
また、本発明は、上記表示装置において、前記制御部は、前記表示部により前記案内表示を行い、前記検出部によって前記操作情報に基づく処理の実行の指示を検出した場合に、前記操作情報に基づく処理を実行すること、を特徴とする。
本発明によれば、指示体または操作者に対応付けて記憶された操作情報を利用して処理を行うことができる。
【０００９】
また、本発明は、上記表示装置において、前記検出部により前記指示体による操作を検出した場合に、前記検出部により検出された操作または検出された操作に対応する処理に関する操作情報、及び、前記識別情報取得部により取得された前記識別情報を、外部の記憶装置に送信する送信部を備えること、を特徴とする。
本発明によれば、操作者が指示体を用いて行った操作に関する操作情報を、指示体または操作者に対応付けて記憶できる。
【００１０】
また、上記目的を達成するために、本発明の表示システムは、第１の表示装置と、第２の表示装置と、前記第１及び第２の表示装置に接続可能な記憶装置と、を備え、前記第１の表示装置は、第１の表示面に画像を表示する第１の表示部と、前記第１の表示面への第１の指示体による操作を検出する第１の検出部と、前記第１の検出部が検出を行った前記第１の指示体、若しくは、前記第１の指示体の操作者を識別する第１の識別情報を取得する第１の識別情報取得部と、前記第１の検出部により検出された操作、または検出された操作に対応する処理に関する第１の操作情報、及び、前記第１の識別情報を前記記憶装置に送信する第１の送信部と、を備え、前記記憶装置は、前記第１の表示装置により送信される前記第１の操作情報と前記第１の識別情報とを対応付けて記憶し、前記第２の表示装置は、第２の表示面に画像を表示する第２の表示部と、前記第２の表示面への第２の指示体による操作を検出する第２の検出部と、前記第２の検出部が検出を行った前記第２の指示体、若しくは、前記第２の指示体の操作者を識別する第２の識別情報を取得する第２の識別情報取得部と、前記第２の識別情報取得部により取得された前記第２の識別情報に対応する前記第１の操作情報を前記記憶装置から取得する第２の操作情報取得部と、前記第２の操作情報取得部により取得された前記第１の操作情報に基づき、前記第２の検出部により検出された操作に応じた処理を行う第２の制御部と、を備えること、を特徴とする。
本発明によれば、操作者が指示体を用いて行った操作に関する操作情報を、指示体または操作者に対応付けて記憶し、この操作情報を、指示体による操作を検出した場合に取得して利用できる。このため、複数の指示体あるいは複数の操作者が行った操作に関する情報を記憶する場合も、該当する情報を容易に探索して利用でき、利便性の向上を図ることができる。
【００１１】
また、上記目的を達成するために、本発明の表示装置の制御方法は、表示面に画像を表示し、前記表示面への指示体による操作を検出し、操作の検出を行った前記指示体、または、前記指示体の操作者を識別する識別情報を取得し、前記指示体の操作に従って、前記指示体による操作に関する操作情報を前記識別情報に対応付けて記憶する記憶装置から、前記識別情報に対応する前記操作情報を取得し、取得した前記操作情報に基づき、前記検出された操作に応じた処理を行うこと、を特徴とする。
本発明によれば、指示体による操作を検出した場合に、検出した指示体に関する識別情報を取得でき、この識別情報を用いて操作に関する操作情報を取得し処理できる。このため、指示体または操作者を識別して、記憶された情報を取得できるので、複数の指示体あるいは複数の操作者が行った操作に関する情報を記憶する場合も、該当する情報を容易に探索して利用でき、利便性の向上を図ることができる。
【図面の簡単な説明】
【００１２】
【図１】表示システムの概略構成図。
【図２】表示システムの各装置の構成を示すブロック図。
【図３】プロジェクターの動作を示すフローチャート。
【図４】プロジェクターが表示する画像の表示例を示す図であり、（Ａ）は描画を行う場合の表示例を示し、（Ｂ）は描画情報の説明図であり、（Ｃ）は描画情報を復元する場合の表示例を示す。
【図５】プロジェクターの動作を示すフローチャート。
【図６】プロジェクターの動作を示すフローチャート。
【発明を実施するための形態】
【００１３】
以下、図面を参照して本発明の実施形態について説明する。
図１は、本発明を適用した実施形態に係る表示システム１の概略構成を示す図である。
表示システム１は、複数のプロジェクター２（表示装置）と、それぞれのプロジェクター２に通信回線３により接続されるサーバー１０（記憶装置、記憶部）とを備える。
表示システム１が備えるプロジェクター２の数について何ら制限はなく、１台のみであってもよいし、３台以上であってもよい。
【００１４】
表示システム１を構成する複数のプロジェクター２は、それぞれ独立して画像をスクリーンＳＣ（投射面、表示面）に投射し、複数のプロジェクター２を連動して動作させる必要はない。例えば、一部のプロジェクター２の電源をオンにして画像を投射させる間、他のプロジェクター２の電源がオフであってもよい。以下の説明では、２台のプロジェクターのそれぞれを、プロジェクター２ａ、２ｂと表記し、プロジェクター２ａ、２ｂを総称してプロジェクター２と表記する。プロジェクター２ａ、２ｂの一方は第１の表示装置に相当し、他方は第２の表示装置に対応する。例えばプロジェクター２ａを第１の表示装置、プロジェクター２ｂを第２の表示装置とする。また、プロジェクター２ａ、２ｂが画像を投射するスクリーンを、それぞれ、スクリーンＳＣ１、ＳＣ２と表記し、これらスクリーンＳＣ１、ＳＣ２を総称してスクリーンＳＣと表記する。
【００１５】
プロジェクター２ａ、２ｂはそれぞれ異なる会議室に設置され、会議室内のスクリーンＳＣ１、ＳＣ２に、それぞれ画像を投射する。スクリーンＳＣ１、ＳＣ２は、壁面に固定され、或いは床面に立設された平板または幕であるが、壁面をスクリーンＳＣとして使用してもよい。
図１に示すように、プロジェクター２ａはスクリーンＳＣ１の上方に設置され、下向きに投射画像２５ａを投射する。プロジェクター２ａがスクリーンＳＣ１上で画像を投射できる領域を、投射領域２４ａとする。プロジェクター２ａは、指示体７０ａ、７０ｂによる操作を検出できる。指示体７０ａ、７０ｂは、例えば、棒状の軸部を有するペン型のデバイスであり、プロジェクター２ａを操作する操作者（ユーザー）が手に持って使用する。指示体７０ａと指示体７０ｂとは、後述するように可視光で撮像された撮像画像において識別可能なように、形状、色彩、或いは表面の模様等が異なる仕様となっている。例えば、指示体７０ａは先端部分が白色であり、指示体７０ｂは先端部分が濃色に着色されている。
【００１６】
プロジェクター２ｂはスクリーンＳＣ２の上方に設置され、下向きに投射画像２５ｂを投射する。プロジェクター２ｂがスクリーンＳＣ２上で画像を投射できる領域を、投射領域２４ｂとする。プロジェクター２ｂは、指示体７０ｃ、７０ｄによる操作を検出できる。指示体７０ｃ、７０ｄは、指示体７０ａ、７０ｂと同様に、例えば、棒状の軸部を有するペン型のデバイスであり、プロジェクター２ｂを操作する操作者（ユーザー）が手に持って使用する。指示体７０ｃと指示体７０ｄとは、後述するように可視光で撮像された撮像画像において識別可能なように、形状、色彩、或いは表面の模様等が異なる仕様となっている。例えば、指示体７０ｃは先端部分が白色であり、指示体７０ｄは先端部分が濃色に着色されている。
なお、以下の説明では、４つの指示体７０のそれぞれを指示体７０ａ、７０ｂ、７０ｃ、７０ｄと表記し、これらを総称して指示体７０と表記する。
【００１７】
表示システム１では、指示体７０のそれぞれを識別する識別情報が定義される。この識別情報は、指示体７０ａ、７０ｂ、７０ｃ、７０ｄのそれぞれに直接、付されていて、例えば撮像画像から取得できる情報であってもよい。また、４つの指示体７０のそれぞれに対応付けて予めプロジェクター２ａ、２ｂが有する情報であってもよい。
【００１８】
なお、表示システム１においてプロジェクター２ａ、２ｂに対して使用される指示体は、指示体７０に限定されず、指示棒（図示略）等の棒状の指示体であってもよいし、使用者の手や指を指示体として検出することもできる。この場合、指示体は、使用者毎に識別可能であることが望ましい。すなわち、後述するように可視光で撮像された撮像画像において識別可能なように、色彩、或いは表面の模様等が異なることが望ましく、例えば、使用者の指を指示体とする場合には、使用者の指に色や模様を有する指輪やキャップ状の治具を装着すればよい。
【００１９】
図２は、表示システム１の各装置のブロック図であり、プロジェクター２ａ、２ｂ、及びサーバー１０の機能ブロックを示す。
【００２０】
プロジェクター２ａは、外部の画像供給装置（図示略）に接続される画像入力部２０５を備える。画像入力部２０５は、ケーブルを接続するコネクター及びインターフェース回路（いずれも図示略）、或いは、無線通信インターフェース（図示略）を備え、画像供給装置が出力する画像データを受信する。
画像入力部２０５は、例えば、Ｅｔｈｅｒｎｅｔ（登録商標）、ＩＥＥＥ１３９４、ＵＳＢ等のデータ通信インターフェースであってもよい。また、ＭＨＬ（登録商標）、ＨＤＭＩ（登録商標）、ＤｉｓｐｌａｙＰｏｒｔ（商標）等の画像データ用のインターフェースであってもよい。また、無線ＬＡＮやＢｌｕｅｔｏｏｔｈ（登録商標）等の無線通信インターフェースを備えてもよい。
画像入力部２０５は、画像供給装置（図示略）から入力されるデジタル画像データを画像処理部２０６に出力する。
【００２１】
プロジェクター２ａは、光学的な画像の形成を行い、スクリーンＳＣ１に画像を投射する投射部２０（表示部、第１の表示部）を備える。投射部２０は、光源２１、光変調装置２２、および投射光学系２３を有する。光源２１は、キセノンランプ、超高圧水銀ランプ、ＬＥＤ（Light Emitting Diode）、或いはレーザー光源等からなる光源を備える。また、光源２１は、光源が発した光を光変調装置２２に導くリフレクターおよび補助リフレクターを備えていてもよい。さらに、投射光の光学特性を高めるためのレンズ群（図示略）、偏光板、或いは光源が発した光の光量を光変調装置２２に至る経路上で低減させる調光素子等を備えてもよい。
光変調装置２２は、例えばＲＧＢの三原色に対応した３枚の透過型液晶パネルを備え、この液晶パネルを透過する光を変調して画像光を生成する。光源２１が発する光はＲＧＢの３色の色光に分離され、各色光は対応する各液晶パネルに入射する。各液晶パネルを通過して変調された色光はクロスダイクロイックプリズム等の合成光学系によって合成され、投射光学系２３に射出される。
【００２２】
投射光学系２３は、光変調装置２２により変調された画像光をスクリーンＳＣ１方向へ投射して、スクリーンＳＣ１上に結像させるレンズ群を備える。また、投射光学系２３は、スクリーンＳＣ１の投射画像の拡大・縮小および焦点の調整を行うズーム機構、フォーカスの調整を行うフォーカス調整機構を備えていてもよい。
【００２３】
投射部２０は、制御部２０１の制御に従って光源２１を点灯及び消灯する光源駆動部２０７、及び、制御部２０１の制御に従って光変調装置２２を動作させる光変調装置駆動部２０８に接続する。光源駆動部２０７は光源２１の光量を調整する機能を備えてもよい。
【００２４】
プロジェクター２ａは、投射部２０が投射する画像を処理する画像処理系を備える。この画像処理系は、制御部２０１、記憶部２０２、入力検出部２０４、画像入力部２０５、画像処理部２０６、光源駆動部２０７、光変調装置駆動部２０８、画像合成部２１３、及び通信部２１１（送信部、第１の送信部）を含む。画像処理系を構成する各部はバス２１０により相互にデータ通信可能に接続される。また、画像合成部２１３にはフレームメモリー２１４が接続される。フレームメモリー２１４、及び、その他のデータ処理部を画像処理系に含めてもよい。
【００２５】
プロジェクター２ａは、通信部２１１を有する。通信部２１１は、データ通信を行うインターフェースであり、本実施形態では通信回線３に接続する。通信部２１１は、制御部２０１の制御に従い、通信回線３を介してサーバー１０との間で各種データを送受信する。本実施形態では、通信部２１１は、通信回線３を構成するケーブル（図示略）を接続する有線インターフェースである。通信部２１１は、無線ＬＡＮやＢｌｕｅｔｏｏｔｈ等の無線通信を実行する無線通信インターフェースであってもよい。
【００２６】
プロジェクター２ａは、指示体７０ａ、７０ｂ（第１の指示体）による操作、及び、操作により指示される位置（操作位置）を検出する指示体検出部２０３を備える。
指示体検出部２０３は、撮像部２３１、位置検出部２３２（検出部、第１の検出部）、及び識別部２３３（識別情報取得部、第１の識別情報取得部）を備える。撮像部２３１は、スクリーンＳＣ１を撮像するデジタルカメラであり、撮像画像データを生成する。撮像部２３１の撮像範囲すなわち画角は、スクリーンＳＣ１の全体またはスクリーンＳＣ１を含む範囲であることが好ましく、少なくとも、スクリーンＳＣ１の投射領域２４ａ（図１）を含む。
【００２７】
位置検出部２３２は、指示体７０ａまたは指示体７０ｂの操作で指示される操作位置を検出する。位置検出部２３２は、撮像部２３１の撮像画像データを解析して、撮像画像から指示体７０ａ及び指示体７０ｂの画像を検出する。撮像画像に指示体７０ａ及び指示体７０ｂのいずれかの画像が含まれる場合、位置検出部２３２は、指示体７０ａの先端及び／又は指示体７０ｂの先端の位置を検出し、検出した位置を、投射領域２４ａにおける座標として制御部２０１に出力する。
【００２８】
識別部２３３は、指示体７０ａと指示体７０ｂとを識別する。識別部２３３は、位置検出部２３２が検出する操作位置が、指示体７０ａにより指示された位置か、指示体７０ｂにより指示された位置かを識別し、識別結果を制御部２０１に出力する。
本実施形態では、撮像部２３１の撮像画像データを解析して、撮像画像から指示体７０ａ及び指示体７０ｂの画像を検出する。識別部２３３は、撮像部２３１の撮像画像から指示体７０ａまたは指示体７０ｂの画像を検出した場合、識別部２３３は、その画像が指示体７０ａの画像であるか指示体７０ｂの画像であるかを識別する。上述のように、指示体７０ａ、７０ｂは、可視光による撮像画像において識別可能なように、外観が異なるので、識別部２３３は撮像画像に基づき指示体７０ａと指示体７０ｂとを識別する。
【００２９】
識別部２３３は、位置検出部２３２が検出した操作について、操作を行った指示体を識別した場合に、識別した指示体の識別情報を、操作位置ごとに出力する。例えば、識別部２３３は、撮像部２３１の撮像画像データに基づき検出される指示体７０ａ、７０ｂの画像と、指示体７０ａ、７０ｂの識別情報とを対応付ける情報を予め保持する。識別部２３３は、指示体７０ａ、７０ｂの画像を撮像画像から検出した場合に、検出した画像に対応する識別情報を、操作位置に対応付ける。
【００３０】
なお、撮像部２３１は、可視光による撮像を行うものに限定されず、赤外光を撮像するカメラであってもよい。この場合、指示体７０ａと指示体７０ｂとは、赤外光で撮像した場合に識別可能な差異を、外面に有していればよい。例えば、赤外光を発する発光部（図示略）を有し、この発光部の発光の形状や点滅パターン等が指示体７０ａと指示体７０ｂとで異なる構成とすることができる。指示体７０ｃと指示体７０ｄについても同様である。
【００３１】
また、識別部２３３は、撮像部２３１の撮像画像データに基づき指示体７０ａと指示体７０ｂとを識別する構成に限定されない。例えば、指示体７０ａ、７０ｂのそれぞれと、プロジェクター２ａとが、Ｂｌｕｅｔｏｏｔｈ等の無線通信を実行する構成としてもよい。この場合、指示体７０ａ、７０ｂは、無線通信インターフェースを有し、プロジェクター２ａの通信部２１１と無線通信を行う。また、通信部２１１が、無線通信インターフェースを具備する構成である。この場合、プロジェクター２ａは、通信部２１１が指示体７０ａ、７０ｂから受信する無線信号の強度に基づき、指示体７０ａ、７０ｂのそれぞれとプロジェクター２ａとの距離を検出できる。識別部２３３は、位置検出部２３２が検出する操作位置と、通信部２１１で検出する無線信号強度とに基づき、位置検出部２３２が検出するそれぞれの操作位置について、指示体７０ａによる操作か指示体７０ｂによる操作かを特定できる。
【００３２】
さらに、識別部２３３は、指示体７０ａを操作する操作者が所持するデバイスを検出することにより、位置検出部２３２が検出する操作位置に対応する指示体を識別してもよい。この場合、操作者は、無線通信インターフェースを有するデバイス（図示略）を所持し、このデバイスとプロジェクター２ａの通信部２１１とが、例えば無線ＬＡＮやＢｌｕｅｔｏｏｔｈ等の無線通信を実行する。この主のデバイスとしては、携帯型電話機、スマートフォン、ＰＤＡ（Personal Digital Assistant）、タブレット型コンピューター等が挙げられるが、腕時計型の身体装着型（ウェアラブル）デバイス等であってもよく、より小型の無線通信装置であってもよい。この例では、操作者が所持するデバイスを通信部２１１が検出した場合に、このデバイスが送信する無線信号の受信強度に基づき、識別部２３３がデバイスとプロジェクター２ａとの距離を求める。識別部２３３は、位置検出部２３２が検出する操作位置のうち、プロジェクター２ａとデバイスとの距離に基づき、検出したデバイスに適合する操作位置を特定する。これにより、識別部２３３は、位置検出部２３２が検出した操作位置とデバイスとを対応付けることができ、操作位置が、どの操作者が操作した位置かを識別できる。この場合、識別部２３３は、操作位置と操作者との対応付けを行うが、操作者と指示体７０ａ、７０ｂとの対応付けが予め設定されていれば、間接的ではあるが、操作位置と指示体７０ａ、７０ｂとの対応付けができる。
【００３３】
制御部２０１は、不図示のＣＰＵ、ＲＡＭ、ＲＯＭ等を備え、ＲＯＭまたは記憶部２０２に記憶した制御プログラムを実行して、プロジェクター２ａの各部を制御する。制御部２０１は、投射制御部２２１、操作取得部２２２、及び、描画処理部２２３を有する。制御部２０１は、制御部、表示制御部、及び、操作情報取得部として機能する。
記憶部２０２は、制御部２０１が実行する制御プログラム、および、制御部２０１が処理するデータを不揮発的に記憶する。
【００３４】
入力検出部２０４は、入力デバイスとして機能するリモコン（図示略）、および、プロジェクター２ａの操作パネルによる操作を検出する。入力検出部２０４は、リモコンの操作または操作パネルの操作を検出すると、検出した操作内容を示す操作データを生成し、制御部２０１に出力する。
【００３５】
画像処理部２０６は、制御部２０１の制御に従って、画像入力部２０５から入力される画像データを処理し、処理した画像データを画像合成部２１３に出力する。画像処理部２０６が実行する処理は、例えば、解像度変換（スケーリング）処理またはリサイズ処理、歪み補正等の形状補正処理、デジタルズーム処理、色調補正処理、輝度補正処理等である。画像処理部２０６は、制御部２０１により指定された処理を実行し、必要に応じて、制御部２０１から入力されるパラメーターを使用して処理を行う。また、上記のうち複数の処理を組み合わせて実行することも勿論可能である。
【００３６】
画像合成部２１３は、画像処理部２０６が出力する処理後の画像データをフレームメモリー２１４に展開する。また、画像合成部２１３は、制御部２０１が生成する画像データを取得して、フレームメモリー２１４に展開する。ここで、画像合成部２１３は、画像処理部２０６が出力する画像データと、制御部２０１が生成する画像データとを、フレームメモリー２１４で合成する。画像合成部２１３は、合成した画像データをフレームメモリー２１４から読み出して、表示画像データを光変調装置駆動部２０８に出力する。
【００３７】
光変調装置駆動部２０８は、光変調装置２２の液晶パネルに接続する。光変調装置駆動部２０８は、画像合成部２１３が入力する表示画像データに基づき、Ｒ、Ｇ、Ｂの画像信号を生成し、画像信号に基づいて液晶パネルを駆動し、各液晶パネルに画像を描画する。
【００３８】
投射制御部２２１は、プロジェクター２ａの各部を制御して、スクリーンＳＣ１への画像の投射を実行する。投射制御部２２１は、画像処理部２０６を制御して、入力画像データに対する処理を実行する。投射制御部２２１は、画像処理部２０６が実行する処理に必要なパラメーターを、記憶部２０２から読み出して画像処理部２０６に出力してもよい。
投射制御部２２１は、画像合成部２１３を制御して、画像を合成する処理を実行し、光変調装置駆動部２０８を制御して光変調装置２２の液晶パネルに画像を描画する。また、投射制御部２２１は、光源駆動部２０７を制御して、光源２１を点灯し、光源２１の輝度を調整する。これにより、光源２１が発光し、光変調装置２２が変調する画像光が投射光学系２３を通してスクリーンＳＣに投射される。
【００３９】
操作取得部２２２は、指示体検出部２０３が検出する操作位置と、操作位置について識別部２３３が識別した識別結果とを取得する。指示体検出部２０３が検出する操作位置は、投射画像２５ａ（図１）における座標として出力される。このため、操作取得部２２２は、指示体検出部２０３が出力する座標を、描画処理部２２３が描画を行うための座標に変換する処理を行う。本実施形態では、描画処理部２２３は、フレームメモリー２１４に展開される画像データを生成する。このため、操作取得部２２２は、指示体検出部２０３が出力する座標を、フレームメモリー２１４における座標に変換する。
【００４０】
描画処理部２２３は、指示体検出部２０３が検出した操作位置、または、操作位置の軌跡に合わせて記号や図形を描画する処理を行う。描画処理部２２３は、フレームメモリー２１４に展開される画像データのサイズに合わせて、上記の記号や図形の画像データを生成する。描画処理部２２３が生成する画像データは画像処理部２０６に出力され、画像処理部２０６は、描画処理部２２３が生成する画像データに基づき画像をフレームメモリー２１４に展開する。また、画像合成部２１３は、例えば画像入力部２０５の入力画像をフレームメモリー２１４に展開した後、描画処理部２２３が生成する画像データに基づく画像を、フレームメモリー２１４で重畳して展開し、合成することも可能である。
【００４１】
また、操作取得部２２２は、指示体検出部２０３が検出した操作位置に対応する処理を実行できる。すなわち、指示体７０ａ、７０ｂによる操作により、描画だけでなく、メニューバーＭ（図１）を利用してプロジェクター２ａの描画以外の機能の実行を指示できる。
【００４２】
メニューバーＭ（操作用画像）は、投射制御部２２１の制御により、投射画像２５ａの一部として投射される。メニューバーＭには複数のボタン（アイコン）が配置されており、各ボタンにはプロジェクター２ａが実行する機能が割り当てられる。プロジェクター２ａは、指示体７０ａ、７０ｂによってメニューバーＭのボタンに重なる位置が指示されると、指示位置に重なるボタンに割り当てられた機能を実行する。メニューバーＭのボタンとしては、例えば、描画機能を指示するためのボタンとして、図形（曲線、直線、円、楕円、四角形等）の描画、描画した図形への着色、描画した図形の一部消去、処理のやり直し、及び描画した図形全体の削除等を指示するボタンが含まれる。また、メニューバーＭには、ファイル操作を指示するボタンとして、画像データファイルを開く機能、描画した図形または当該図形を含む投射中の画像全部を画像データとして保存する機能、画像データファイルを次々と切り替えて開くことで上述したスライドショーを行う機能等を指示するボタンを配置することもできる。さらに、画像の投射を一時的に停止するＡＶミュート機能や、投射画像２５ａの一部を拡大して表示するズーム機能が割り当てられたボタンを配置してもよい。また、メニューバーＭは、メニューバーＭの表示位置や表示サイズ等の表示設定用のボタンが配置される。
【００４３】
指示体７０ａ、７０ｂの操作によって、メニューバーＭの図形描画ボタンが操作されると、プロジェクター２ａは描画モードを実行する。描画モードでは、描画処理部２２３が、指示体７０ａ、７０ｂの操作位置に対応して描画を行う。また、メニューバーＭのファイル操作や表示設定のボタンが操作された場合、操作取得部２２２が、ボタン操作と、ボタン操作後の指示体７０ａ、７０ｂの操作位置に基づき、対応する処理を実行する。
【００４４】
描画処理部２２３は、指示体検出部２０３が検出した操作位置に基づき描画を行った場合、描画オブジェクト２２６を生成する。描画オブジェクト２２６は、後述する描画オブジェクト１５ｂと同様のデータである。
また、操作取得部２２２は、指示体検出部２０３が検出した操作位置に基づき描画以外の処理を行った場合、操作履歴２２７を生成する。操作履歴２２７は、後述する操作履歴１５ｃと同様のデータである。
【００４５】
また、プロジェクター２ｂは、プロジェクター２ａと同一の構成を有する。このため、プロジェクター２ｂの構成については図２に示し、説明を省略する。なお、例えば、プロジェクター２ａを第１の表示装置とし、プロジェクター２ｂを第２の表示装置としたとき、スクリーンＳＣ１は第１の表示面に対応し、スクリーンＳＣ２は第２の表示面に対応し、プロジェクター２ｂの投射部２０は第２の表示部に対応し、プロジェクター２ｂの位置検出部２３２は第２の検出部に対応し、プロジェクター２ｂの識別部２３３が第２の識別情報取得部に対応し、プロジェクター２ｂの制御部２０１は第２の操作情報取得部と第２の制御部に対応する。
【００４６】
サーバー１０は、通信部１１、制御部１２、入力部１３、出力部１４、及び記憶部１５を備え、これらの各部はバス１６で接続される。
通信部１１は、通信回線３を介してプロジェクター２ａ、２ｂのそれぞれに接続する。通信部１１の具体的な接続態様は制限されず、通信回線３がバス型の有線ＬＡＮ等で構成される場合、通信部１１は１本のケーブル（図示略）でプロジェクター２ａ、２ｂに接続する。また、通信部１１は、プロジェクター２ａ及びプロジェクター２ｂに対し個別にケーブルで接続されてもよい。また、通信回線３は無線ＬＡＮ等の無線通信回線で構成されてもよいし、通信回線３は広域通信ネットワークを含んでもよい。
【００４７】
制御部１２は、不図示のＣＰＵ、ＲＡＭ、ＲＯＭ等を備え、ＲＯＭまたは記憶部１５に記憶した制御プログラムを実行して、サーバー１０の各部を制御する。
制御部１２は、通信部１１によりプロジェクター２から受信したデータ、及び、これらのデータに基づき生成したデータを、記憶部１５に記憶する。また、制御部１２は、通信部１１により、プロジェクター２からのデータ送信の要求を受信した場合に、要求されたデータを、要求元のプロジェクター２に送信する。
【００４８】
入力部１３は、キーボード等の入力デバイス（図示略）の操作に基づき、データを制御部１２に入力する。出力部１４は、制御部１２の制御に従って、データを表示、或いは印刷出力する。
記憶部１５は、制御部１２が実行する制御プログラム、および、制御部１２が処理するデータを不揮発的に記憶する。
また、記憶部１５は、通信部１１がプロジェクター２から受信する会議情報１５ａ、描画オブジェクト１５ｂ、及び操作履歴１５ｃを記憶する。
【００４９】
会議情報１５ａは、会議毎に生成される情報であり、会議が行われる会議室に設置されたプロジェクター２に対応付けられる。会議情報１５ａは、会議の日時、会議のタイトル、参加者を特定する情報（例えば、参加者に付与される個別のＩＤ）等を含む。また、会議情報１５ａは、会議を個別に識別可能なＩＤを含んでもよい。会議情報１５ａは、１または複数のレコードを含む。
会議情報１５ａは、サーバー１０、またはサーバー１０に接続されるコンピューター等により、手動の入力操作に応じて、または自動的に作成される。
【００５０】
描画オブジェクト１５ｂは、描画された画像のベクトルデータ及び／またはスカラーデータ、描画日時、描画色や線の太さなどの描画設定に係る情報、描画された画像が重畳された背景画像のデータ等を含む。描画オブジェクト１５ｂは、プロジェクター２が描画を行う毎、或いは指定されたタイミングで生成し、サーバー１０に送信する。描画オブジェクト１５ｂは、描画された画像のデータだけでなく、操作位置の軌跡に沿って描画された線や図形が結合または組み合わされて構成される描画画像については、それぞれの線や図形のデータを含むことが好ましい。或いは、描画画像を構成する線や図形を区別するデータを分離可能なデータであることが好ましい。例えば、描画画像が複数の筆跡（ストローク）で構成され、各ストロークの画像を時系列順に含むストローク情報とすることができる。この場合、描画画像を、ストローク毎に削除することが可能となり、例えば、新しいストロークから順に削除するアンドゥ操作が可能となる。
【００５１】
操作履歴１５ｃは、指示体７０の操作に従ってプロジェクター２が描画以外の処理を実行した場合の操作および処理の履歴を示す。具体的には、操作位置、操作位置に対応してメニューバーＭで選択されたボタン、選択されたボタンまたは操作位置に対応して実行された処理の内容等を含む。また、指示体７０の操作により、例えばメニューバーＭの表示位置や表示サイズなどの表示に係る設定（表示設定）が行われた場合、操作履歴１５ｃは表示設定の内容を含む。操作履歴１５ｃは、指示体の操作に応じて描画以外の処理を実行するプロジェクター２が、処理を実行する毎、或いは指定されたタイミングで生成し、サーバー１０に送信する。
【００５２】
会議情報１５ａのレコードは、描画オブジェクト１５ｂ及び／又は操作履歴１５ｃを対応付ける情報を含む。従って、会議情報１５ａのレコードに基づき、描画された画像のデータや、表示設定の内容等を取得できる。また、本実施形態では、会議情報１５ａは、会議情報１５ａが含むレコードに対応付けて、レコードに含まれる描画オブジェクトのサムネイル画像を含む。つまり、会議情報１５ａのレコードに複数の描画オブジェクトが含まれる場合、会議情報１５ａは、各描画オブジェクトに対応するサムネイル画像を含む。これらのサムネイル画像は、後述するように、プロジェクター２が会議情報１５ａを呼び出して使用する場合に、操作者が描画オブジェクトを選択するために利用できる。
【００５３】
このように構成される表示システム１では、プロジェクター２ａ、２ｂのそれぞれは、描画機能を有するプロジェクターとして利用できる。すなわち、プロジェクター２ａ、２ｂのそれぞれに対し、指示体７０を使用して描画や画像の投射を行うことができる。
また、表示システム１では、プロジェクター２ａ、２ｂにおいて指示体７０の操作に応じて行った処理に関し、会議情報１５ａ、描画オブジェクト１５ｂ、及び操作履歴１５ｃがサーバー１０に記憶される。これらの情報を用いることで、表示システム１においては、プロジェクター２ａを使用して操作された内容を、サーバー１０に保存することができる。また、サーバー１０に保存した情報を利用して、別の日時に、或いは、別のプロジェクター２（例えば、プロジェクター２ｂ）により、操作に応じて行った処理を呼び出すことができ、呼び出した処理の続きを実行することもできる。以下、これらの動作について説明する。
【００５４】
図３は表示システム１の動作を示し、特に、プロジェクター２が会議において操作を記録する動作を示す。この図３の動作はプロジェクター２ａ、２ｂのいずれも実行できるが、ここではプロジェクター２ａが指示体７０ａによる操作を記録する例を説明する。
【００５５】
プロジェクター２ａの制御部２０１は、指示体７０ａの操作に従ってサーバー１０にアクセスし、サーバー１０が記憶する会議情報１５ａを取得する（ステップＳ１１）。ステップＳ１１では、プロジェクター２ａが設置された会議室の識別情報、プロジェクター２ａの識別情報、或いは、プロジェクター２ａを操作する操作者の識別情報を含む会議情報１５ａが、記憶部１５から読み出されてプロジェクター２ａに送信される。本実施形態では、ステップＳ１１においては、会議情報１５ａが含むレコードのリスト、或いはレコードのリストと各レコードの属性（日時、操作者（参加者）の識別情報など）が送信される。
【００５６】
プロジェクター２ａの制御部２０１は、取得した会議情報１５ａに含まれるレコードを検索し（ステップＳ１２）、プロジェクター２ａを用いて実行する会議または実行中の会議に対応するレコードの有無を判定する（ステップＳ１３）。この判定は、会議の識別情報や日時等に基づき行われる。
該当するレコードがある場合（ステップＳ１３；Ｙｅｓ）、制御部２０１は、該当するレコードの情報をサーバー１０から取得する（ステップＳ１４）。このステップＳ１４では、プロジェクター２ａが設置された会議室の識別情報またはプロジェクター２ａの識別情報に対応する会議情報１５ａが含むレコードのデータが、記憶部１５から読み出され、サーバー１０からプロジェクター２ａに送信される。ここで、サーバー１０からプロジェクター２ａに対し、会議情報１５ａのレコードのみを送信してもよいし、会議情報１５ａが含むレコードに対応付けられた描画オブジェクト１５ｂ、及び操作履歴１５ｃを送信してもよい。
【００５７】
続いて、制御部２０１は、指示体７０による操作の検出を開始する（ステップＳ１５）。制御部２０１は、指示体検出部２０３の撮像部２３１による撮像を実行し（ステップＳ１６）、撮像画像データを位置検出部２３２により解析して操作位置の検出を行う（ステップＳ１７）。また、制御部２０１は、位置検出部２３２により操作位置の座標データを生成する（ステップＳ１８）。また、制御部２０１は、撮像画像データを識別部２３３により解析して操作位置に対応する指示体７０の識別情報を取得する（ステップＳ１９）。
【００５８】
その後、制御部２０１は、検出した指示体７０の操作がメニューバーＭ等の表示設定に係る操作であるか描画の操作であるかを判定する（ステップＳ２０）。描画の操作である場合（ステップＳ２０；Ｎｏ）、制御部２０１は、メニューバーＭで指定された描画属性に従って描画を実行し（ステップＳ２２）、実行した描画に係る座標データ及び描画した描画オブジェクトを一時的に記憶部２０２に記憶する（ステップＳ２０３）。制御部２０１は、指示体７０の操作を終了するか否かを判定し（ステップＳ２４）、操作を終了しない場合は（ステップＳ２４；Ｎｏ）、ステップＳ１６に戻る。
【００５９】
また、指示体７０の操作が表示設定に係る操作であると判定した場合（ステップＳ２０；Ｙｅｓ）、制御部２０１は、操作に従って表示設定を更新し（ステップＳ２１）、ステップＳ２４に移行する。
【００６０】
ステップＳ２４で、操作を終了すると判定した場合（ステップＳ２４；Ｙｅｓ）、制御部２０１は、記憶部２０２に一時記憶した描画に係る座標データ及び描画した描画オブジェクトから描画オブジェクト１５ｂを生成してレコードに記録する（ステップＳ２５）。このステップＳ２５では、ステップＳ２１で表示設定を変更した場合、変更した表示設定等の情報を含む操作履歴１５ｃを生成してレコードに記録する。
【００６１】
その後、制御部２０１は、記録済みのレコード、または、ステップＳ１１で取得した会議情報とレコードとを、サーバー１０に送信し（ステップＳ２６）、本処理を終了する。
また、ステップＳ１３において該当するレコードがないと判定した場合（ステップＳ１３；Ｎｏ）、制御部２０１は、新たなレコードを作成し（ステップＳ２７）、ステップＳ１５に移行する。
【００６２】
図４は、プロジェクター２ａが表示する画像の表示例を示す図であり、（Ａ）は描画を行う場合の表示例を示し、（Ｂ）は描画情報の説明図である。また、図４（Ｃ）は描画情報を復元する場合の表示例を示す。
図４（Ａ）に示す例では、指示体７０ａの操作に従って描画画像２６ａが描画されている。描画画像２６ａは一つのストロークで構成され、描画画像２６ａの線の色や太さ等の属性は、メニューバーＭの操作により設定される。
描画画像２６ａが描画された場合、制御部２０１は、図４（Ｂ）に示すように、描画オブジェクト２７ａを生成する。描画オブジェクト２７ａは、描画画像２６ａの画像データに加え、描画画像２６ａを描画した時刻、描画画像２６ａの描画色、太さ、描画開始位置の座標等の属性を含む。また、描画オブジェクト２７ａは、描画画像２６ａの開始位置と終了位置のベクトルデータを含んでもよい。
【００６３】
図５は、表示システム１の動作を示すフローチャートであり、特に、プロジェクター２がサーバー１０の会議情報を呼び出す動作を示す。この図５の動作はプロジェクター２ａ、２ｂのいずれも実行できるが、ここではプロジェクター２ａが指示体７０ａの操作に基づき動作を行う例を説明する。
【００６４】
プロジェクター２ａの制御部２０１は、撮像部２３１による撮像を実行する（ステップＳ４１）。制御部２０１は、撮像画像データを識別部２３３で解析することにより、指示体７０ａを識別して、指示体７０ａの識別情報または指示体７０ａを操作する操作者の識別情報を取得する（ステップＳ４２）。
制御部２０１は、サーバー１０に、ステップＳ４２で取得した識別情報に対応するレコードを含む会議情報１５ａがあるか否かの問合せを行う（ステップＳ４３）。ここで、サーバー１０は、プロジェクター２ａの問合せに対応して記憶部１５内の会議情報１５ａを検索し、検索結果をプロジェクター２ａに送信する。
【００６５】
制御部２０１は、サーバー１０が送信する検索結果に基づき、該当するレコードの有無を判定する（ステップＳ４４）。
なお、ステップＳ４３でプロジェクター２ａが問合せを行った場合に、サーバー１０が、記憶部１５に記録した会議情報１５ａが含むレコードのリストと、レコードの属性とをプロジェクター２ａに送信してもよい。この場合、プロジェクター２ａは、サーバー１０から送信されるレコードのリストを検索し、この検索結果に基づきステップＳ４４の判定を行う。
【００６６】
該当するレコードがある場合（ステップＳ４４；Ｙｅｓ）、制御部２０１は、該当するレコードに含まれるサムネイル画像の数が、レコードに含まれる描画オブジェクトの数と一致するか否かを判定する（ステップＳ４５）。描画オブジェクトの数とサムネイル画像の数とが一致しない場合（ステップＳ４５；Ｎｏ）、制御部２０１はサーバー１０から会議情報１５ａを取得し（ステップＳ４６）、取得した会議情報１５ａに基づきサムネイル画像を生成して（ステップＳ４７）、ステップＳ４５に戻る。ステップＳ４７では、サムネイル画像がない描画オブジェクトに対してサムネイル画像を生成すればよい。また、制御部２０１がサーバー１０から、レコードに含まれる描画オブジェクトのサムネイル画像や描画オブジェクトの属性を含むリストを取得した場合、制御部２０１は、生成したサムネイル画像をリストに追加する。
【００６７】
描画オブジェクトの数とサムネイル画像の数とが一致する場合（ステップＳ４５；Ｙｅｓ）、制御部２０１は、サムネイル画像を投射部２０により一覧表示し（ステップＳ４８）、指示体７０ａによる選択操作を待機する。
サムネイル画像を選択する操作が所定時間内に行われない場合（ステップＳ４９；Ｎｏ）、制御部２０１は、通常の操作を実行する（ステップＳ５０）。例えば、指示体７０ａの操作に従って画像を描画し、画像入力部２０５に入力される画像を投射する。
【００６８】
サムネイル画像を選択する操作が行われた場合（ステップＳ４９；Ｙｅｓ）、制御部２０１は、会議情報１５ａのレコードのデータをサーバー１０から取得する（ステップＳ５１）。ここで、サムネイル画像を選択する操作に対応して、制御部２０１は、操作者に対して描画を復元するか否かを確認するため、例えば図４（Ｃ）に示す案内表示２８ａを表示してもよい。この案内表示２８ａでは、復元のキャンセルを指示するボタンや、サムネイル画像が表示され、指示体７０ａの操作により復元を取りやめることが可能になっている。
【００６９】
ステップＳ４３〜Ｓ４９では、レコードの描画オブジェクトのサムネイル画像と、描画オブジェクトの日時等の情報をサーバー１０から取得すればよい。このため、制御部２０１がステップＳ４３で問合せを行い、該当するレコードがあった場合、サーバー１０からプロジェクター２ａに対し、レコードに含まれるサムネイル画像と描画オブジェクトの情報とが送信される。そして、ステップＳ４９でサムネイル画像が選択された場合に、制御部２０１の要求により、サーバー１０がレコード本体のデータを送信する。これにより、サーバー１０とプロジェクター２ａとの間で送受信するデータの量を抑え、操作者の操作に対するレスポンスを向上させることができる。
【００７０】
制御部２０１は、サーバー１０から取得する会議情報１５ａのレコードのデータに基づき、レコード復元処理を実行する（ステップＳ５２）。
【００７１】
図６は、図５のステップＳ５２で実行されるレコード復元処理を示すフローチャートである。
レコード復元処理では、制御部２０１が、ステップＳ４９（図５）で選択された描画オブジェクトに含まれるストロークを時系列順にソートする（ステップＳ７１）。次いで、制御部２０１は、描画オブジェクトを構成する最初のストローク、及び、ストロークが追加された状態の描画オブジェクトを、ストロークの数だけ生成する。すなわち、ストロークが増える毎に異なる描画オブジェクトを生成する。例えばｎ個（ｎは自然数）のストロークを含む描画オブジェクトについて、制御部２０１は、１個目のストロークを含む描画オブジェクト、１個目と２個目のストロークを含むオブジェクト、…を生成し、全部でｎ個の描画オブジェクトを生成する。
【００７２】
制御部２０１は、描画オブジェクトの数と操作数（ストローク数）を比較し（ステップＳ７２）、一致しない場合は（ステップＳ７２；Ｎｏ）、描画オブジェクトの情報をデコードして（ステップＳ７３）、描画オブジェクトを生成する（ステップＳ７４）。制御部２０１は、ステップＳ７２〜Ｓ７４の処理を繰り返し、ストローク数と同数の描画オブジェクトを生成した場合（ステップＳ７２；Ｙｅｓ）、これらの描画オブジェクトを表示する（ステップＳ７５）。
【００７３】
制御部２０１は、レコードに対応する操作履歴１５ｃのデータをデコードして、メニューバーＭの位置等に関する情報を取得し（ステップＳ７６）、取得した情報に基づいてメニューバーＭの位置やサイズなどのユーザーインターフェースを調整する。制御部２０１は、プロジェクター２ａにおけるユーザーインターフェースの設定を更新して（ステップＳ７７）、このレコード復元処理を実行する。
【００７４】
図３、図５〜図６の動作は、プロジェクター２ａ、２ｂが実行することができ、例えば図３の動作をプロジェクター２ａが行ってサーバー１０に会議情報１５ａ、描画オブジェクト１５ｂ及び操作履歴１５ｃを記憶させることができる。そして、プロジェクター２ｂが図５〜図６の動作を実行して、プロジェクター２ｂが設置された会議室で、プロジェクター２ａを使った会議で描画された描画オブジェクトを時系列に沿って表示できる。また、ストローク毎にアンドゥ操作を行ってもよい。従って、複数のプロジェクター２を有する表示システム１において、プロジェクター２を使用して実行された会議を、プロジェクター２によって再生できる。
【００７５】
以上説明したように、本発明を適用した実施形態の表示システム１は、複数のプロジェクター２と、プロジェクター２に接続可能なサーバー１０と、を備える。プロジェクター２は、スクリーンＳＣに画像を表示する投射部２０と、スクリーンＳＣへの指示体７０による操作を検出する位置検出部２３２とを備える。また、位置検出部２３２が検出を行った指示体７０、若しくは、指示体７０の操作者を識別する識別情報を取得する識別部２３３を備える。さらに、位置検出部２３２により検出された操作、または検出された操作に対応する処理に関する操作情報、及び、識別情報を含む描画オブジェクト１５ｂや操作履歴１５ｃをサーバー１０に送信する通信部２１１を備える。サーバー１０は、プロジェクター２により送信される描画オブジェクト１５ｂ、操作履歴１５ｃを記憶する。
また、プロジェクター２は、識別部２３３により取得された操作者又は指示体７０の識別情報に対応する会議情報１５ａのレコードを記憶部から取得し、取得した会議情報１５ａのレコードに基づき、位置検出部２３２により検出された操作に応じた処理を行う。これにより、操作者が指示体７０を用いて行った操作に関する情報を、指示体７０または操作者に対応付けてサーバー１０に記憶し、この情報を、指示体７０による操作を検出した場合に取得して利用できる。このため、複数の指示体７０あるいは複数の操作者が行った操作に関する情報をサーバー１０に記憶し、該当する情報を容易に探索して利用でき、利便性の向上を図ることができる。
【００７６】
また、プロジェクター２は、予め設定される表示設定に従って、投射部２０により、指示体７０の操作を行うためのユーザーインターフェースを構成する表示を行う。プロジェクター２は、制御部２０１により取得された会議情報１５ａのレコードが、表示設定に係る情報を含む場合に、取得された情報に基づいてユーザーインターフェースの表示態様を変更する。このため、指示体７０または操作者に対応付けて記憶された表示設定を利用して、ユーザーインターフェースを表示できる。
【００７７】
制御部２０１は取得した情報に基づく動作に関して、投射部２０により、例えば図４（Ｃ）に示す案内表示をさせてもよい。この場合、指示体７０または操作者に対応付けて記憶された情報を取得した場合に、案内表示を行うことで、操作者が情報を利用するか否かの選択等を実行できる。この案内表示に対し、指示体７０による実行の指示を検出した場合に、制御部２０１は、サーバー１０から取得した情報に基づく処理を実行すればよい。
【００７８】
なお、上述した実施形態は、本発明の好適な実施形態を示すものであり、本発明を限定するものではなく、本発明の要旨を逸脱しない範囲内において種々の変形実施が可能である。例えば、プロジェクター２ａ、２ｂのそれぞれが指示体検出部２０３を内蔵する構成を例に挙げて説明したが、本発明はこれに限定されず、指示体検出部２０３がプロジェクター２に外部接続される構成であってもよい。例えば、指示体検出部２０３の機能を有する位置検出装置を、プロジェクター２ａ、２ｂのそれぞれに接続して使用してもよい。また、ステップＳ４３でサーバー１０に識別情報に対応するレコードを含む会議情報１５ａがあるか否かを判断しているが、これに限られず、直接識別情報に対応する描画オブジェクト１５ｂと操作履歴１５ｃがあるか否かを判断したあと、識別情報に対応する描画オブジェクト１５ｂと操作履歴１５ｃがある場合には、そのサムネイル画像を表示し、選択されたものを復元するようにしてもよい。
【００７９】
また、本発明の表示装置は、スクリーンＳＣに画像を投射するプロジェクターに限定されず、液晶表示パネルに画像／画像を表示する液晶モニターまたは液晶テレビ、或いは、ＰＤＰ（プラズマディスプレイパネル）に画像／画像を表示するモニター装置またはテレビ受像機、ＯＬＥＤ（Organic light-emitting diode）、ＯＥＬ（Organic Electro-Luminescence）等と呼ばれる有機ＥＬ表示パネルに画像／画像を表示するモニター装置またはテレビ受像機等の自発光型の表示装置など、各種の表示装置も本発明の画像表示装置に含まれる。この場合、液晶表示パネル、プラズマディスプレイパネル、有機ＥＬ表示パネルが表示手段に相当し、その表示画面が表示面に相当する。
【００８０】
また、図２に示した表示システム１の各機能部は、ハードウェアとソフトウェアとの協働により実現される機能的構成を示すものであって、具体的な実装形態は特に制限されない。従って、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現されている機能の一部をハードウェアで実現してもよく、あるいは、ハードウェアで実現されている機能の一部をソフトウェアで実現してもよい。その他、表示システム１の他の各部の具体的な細部構成についても、本発明の趣旨を逸脱しない範囲で任意に変更可能である。
【符号の説明】
【００８１】
１…表示システム、２…プロジェクター、２ａ…プロジェクター（第１の表示装置）、２ｂ…プロジェクター（第２の表示装置）、３…通信回線、１０…サーバー（記憶装置、記憶部）、１２…制御部、１５…記憶部、１５ａ…会議情報、１５ｂ…描画オブジェクト、１５ｃ…操作履歴、２０…投射部、２４ａ、２４ｂ…投射領域、２５ａ、２５ｂ…投射画像、２６ａ…描画画像、２７ａ…描画オブジェクト、２８ａ…案内表示、７０…指示体、７０ａ…指示体、７０ｂ…指示体、７０ｃ…指示体、７０ｄ…指示体、２０１…制御部（制御部、操作情報取得部、表示制御部）、２０２…記憶部、２０３…指示体検出部、２０４…入力検出部、２０５…画像入力部、２０６…画像処理部、２０７…光源駆動部、２０８…光変調装置駆動部、２１１…通信部（送信部）、２１３…画像合成部、２１４…フレームメモリー、２２２…操作取得部、２２３…描画処理部、２２６…描画オブジェクト、２２７…操作履歴、２３１…撮像部、２３２…位置検出部（検出部）、２３３…識別部（識別情報取得部）、Ｍ…メニューバー、ＳＣ、ＳＣ１、ＳＣ２…スクリーン。
【図１】
2016184268.tif 000003
【図２】
2016184268.tif 000004
【図３】
2016184268.tif 000005
【図４】
2016184268.tif 000006
【図５】
2016184268.tif 000007
【図６】
2016184268.tif 000008